(57)【要約】【課題】タッチパネルを用いた手書き機能において、線の描画と線の消去とを迅速に切り替え可能にする。【解決手段】タッチパネル入力装置１は、表示部２１及びタッチ状態を検出するためのセンサ２２を有するタッチパネル２と、タッチ状態に基づいて表示部２１に画像を描画する処理部３とを備える。検出されるタッチ状態には、タッチ位置及びタッチされる接触面積がある。処理部３は、消去モードを有し、接触面積が所定の閾値を超えたとき、消去モードをオンにし、タッチパネル２へのタッチが解除されたとき、消去モードをオフにする。処理部３は、タッチパネル２がタッチされているときに消去モードがオフであれば、タッチ位置の移動軌跡に沿った線を表示部２１に描画し、消去モードがオンのとき、タッチ位置を含む所定範囲内の線を表示部２１から消去する。これにより、アイコンをタッチするよりも少ない操作で消去モードのオン・オフが切り替えられる。【選択図】図５
2015088147.tif 000002
【特許請求の範囲】
【請求項１】
表示部及びタッチ状態を検出するためのセンサを有するタッチパネルと、前記タッチ状態に基づいて前記表示部に画像を描画する処理部とを備えるタッチパネル入力装置であって、
検出される前記タッチ状態には、タッチ位置及びタッチされる接触面積があり、
前記処理部は、消去モードを有し、
前記接触面積が所定の閾値を超えたとき、前記消去モードをオンにし、
前記タッチパネルへのタッチが解除されたとき、前記消去モードをオフにし、
前記タッチパネルがタッチされているときに前記消去モードがオフであれば、前記タッチ位置の移動軌跡に沿った線を前記表示部に描画し、
前記消去モードがオンのとき、前記タッチ位置を含む所定範囲内の線を前記表示部から消去することを特徴とするタッチパネル入力装置。
【請求項２】
表示部及びタッチ状態を検出するためのセンサを有するタッチパネルと、前記タッチ状態に基づいて前記表示部に画像を描画する処理部とを備えるタッチパネル入力装置であって、
検出される前記タッチ状態には、タッチ位置及びタッチされる押圧力があり、
前記処理部は、消去モードを有し、
前記押圧力が所定の閾値を超えたとき、前記消去モードをオンにし、
前記タッチパネルへのタッチが解除されたとき、前記消去モードをオフにし、
前記タッチパネルがタッチされているときに前記消去モードがオフであれば、前記タッチ位置の移動軌跡に沿った線を前記表示部に描画し、
前記消去モードがオンのとき、前記タッチ位置を含む所定範囲内の線を前記表示部から消去することを特徴とするタッチパネル入力装置。
【請求項３】
表示部及びタッチ状態を検出するためのセンサを有するタッチパネルと、前記タッチ状態に基づいて前記表示部に画像を描画する処理部とを備えるタッチパネル入力装置で実行される入力処理プログラムであって、
検出される前記タッチ状態には、タッチ位置及びタッチされる接触面積があり、
前記処理部において、消去モードを有し、
前記接触面積が所定の閾値を超えたとき、前記消去モードをオンにし、
前記タッチパネルへのタッチが解除されたとき、前記消去モードをオフにし、
前記タッチパネルがタッチされているときに前記消去モードがオフであれば、前記タッチ位置の移動軌跡に沿った線を前記表示部に描画し、
前記消去モードがオンのとき、前記タッチ位置を含む所定範囲内の線を前記表示部から消去する処理を実行させることを特徴とする入力処理プログラム。
【請求項４】
表示部及びタッチ状態を検出するためのセンサを有するタッチパネルと、前記タッチ状態に基づいて前記表示部に画像を描画する処理部とを備えるタッチパネル入力装置で実行される入力処理プログラムであって、
検出される前記タッチ状態には、タッチ位置及びタッチされる押圧力があり、
前記処理部において、消去モードを有し、
前記押圧力が所定の閾値を超えたとき、前記消去モードをオンにし、
前記タッチパネルへのタッチが解除されたとき、前記消去モードをオフにし、
前記タッチパネルがタッチされているときに前記消去モードがオフであれば、前記タッチ位置の移動軌跡に沿った線を前記表示部に描画し、
前記消去モードがオンのとき、前記タッチ位置を含む所定範囲内の線を前記表示部から消去する処理を実行させることを特徴とする入力処理プログラム。
【発明の詳細な説明】
【技術分野】
【０００１】
本発明は、手書き機能を有するタッチパネル入力装置、及びタッチパネル入力装置で動作する入力処理プログラムに関する。
【背景技術】
【０００２】
従来から、タブレット端末等の情報端末においてタッチパネルが用いられている。タッチパネルは、表示部としてのディスプレイ上にタッチ位置等を検出するためのセンサを有する。このようなタッチパネルを用いて手書き機能を実現した装置が知られている（例えば、特許文献１参照）。
【０００３】
このような装置で手書き機能を利用する場合、図８（ａ）に示されるように、先ず、ユーザは、タッチパネル１０２のアイコンエリア１０２ａに配置されたペンアイコン２３をタッチし、次に、図８（ｂ）に示されるように、手書きエリア１０２ｂをタッチし、タッチした指等で線Ｌを描画する。線Ｌは、例えば、文字や図形を構成する。線Ｌを消去する場合、図９（ａ）に示されるように、先ず、アイコンエリア１０２ａに配置された消しゴムアイコン２４をタッチし、次に、図９（ｂ）に示されるように、手書きエリア１０２ｂをタッチし、タッチした指等で線Ｌをなぞって消去する。なお、ペンアイコン２３及び消しゴムアイコンとして、図形アイコンの代わりに、文字アイコンが用いられることがある（例えば、特許文献１の図１３参照）。
【０００４】
タッチパネルを用いた手書き機能には、図１０に示されるように、消去モードがオフ（状態Ｓ０）と、消去モードがオン（状態Ｓ１）の２つの状態がある。消去モードがオフ（状態Ｓ０）のとき、ユーザがタッチパネルに線を描画し、消去モードがオン（状態Ｓ１）のとき、ユーザが線を消去する。従来の手書き機能では、これら２つの状態間の遷移に、消しゴムアイコンのタッチ（イベントｅ１１）又はペンアイコンのタッチ（イベントｅ１２）が必要であり、アイコンをタッチするために、手書きエリアとアイコンエリアとの間で指等の往復移動がさらに必要であり、時間と手間がかかる。このため、タッチパネルを用いた手書き機能は、迅速性を要する用途に用いることが難しかった。
【先行技術文献】
【特許文献】
【０００５】
【特許文献１】特開２００５−９２２５６号公報
【発明の概要】
【発明が解決しようとする課題】
【０００６】
本発明は、上記問題を解決するものであり、タッチパネルを用いた手書き機能において、線の描画と線の消去とを迅速に切り替え可能にすることを目的とする。
【課題を解決するための手段】
【０００７】
本発明のタッチパネル入力装置は、表示部及びタッチ状態を検出するためのセンサを有するタッチパネルと、前記タッチ状態に基づいて前記表示部に画像を描画する処理部とを備えるものであって、検出される前記タッチ状態には、タッチ位置及びタッチされる接触面積があり、前記処理部は、消去モードを有し、前記接触面積が所定の閾値を超えたとき、前記消去モードをオンにし、前記タッチパネルへのタッチが解除されたとき、前記消去モードをオフにし、前記タッチパネルがタッチされているときに前記消去モードがオフであれば、前記タッチ位置の移動軌跡に沿った線を前記表示部に描画し、前記消去モードがオンのとき、前記タッチ位置を含む所定範囲内の線を前記表示部から消去することを特徴とする。
【０００８】
本発明のタッチパネル入力装置は、表示部及びタッチ状態を検出するためのセンサを有するタッチパネルと、前記タッチ状態に基づいて前記表示部に画像を描画する処理部とを備えるものであって、検出される前記タッチ状態には、タッチ位置及びタッチされる押圧力があり、前記処理部は、消去モードを有し、前記押圧力が所定の閾値を超えたとき、前記消去モードをオンにし、前記タッチパネルへのタッチが解除されたとき、前記消去モードをオフにし、前記タッチパネルがタッチされているときに前記消去モードがオフであれば、前記タッチ位置の移動軌跡に沿った線を前記表示部に描画し、前記消去モードがオンのとき、前記タッチ位置を含む所定範囲内の線を前記表示部から消去することを特徴とする。
【０００９】
本発明の入力処理プログラムは、表示部及びタッチ状態を検出するためのセンサを有するタッチパネルと、前記タッチ状態に基づいて前記表示部に画像を描画する処理部とを備えるタッチパネル入力装置で実行されるものであって、検出される前記タッチ状態には、タッチ位置及びタッチされる接触面積があり、前記処理部において、消去モードを有し、前記接触面積が所定の閾値を超えたとき、前記消去モードをオンにし、前記タッチパネルへのタッチが解除されたとき、前記消去モードをオフにし、前記タッチパネルがタッチされているときに前記消去モードがオフであれば、前記タッチ位置の移動軌跡に沿った線を前記表示部に描画し、前記消去モードがオンのとき、前記タッチ位置を含む所定範囲内の線を前記表示部から消去する処理を実行させることを特徴とする。
【００１０】
本発明の入力処理プログラムは、表示部及びタッチ状態を検出するためのセンサを有するタッチパネルと、前記タッチ状態に基づいて前記表示部に画像を描画する処理部とを備えるタッチパネル入力装置で実行されるものであって、検出される前記タッチ状態には、タッチ位置及びタッチされる押圧力があり、前記処理部において、消去モードを有し、前記押圧力が所定の閾値を超えたとき、前記消去モードをオンにし、前記タッチパネルへのタッチが解除されたとき、前記消去モードをオフにし、前記タッチパネルがタッチされているときに前記消去モードがオフであれば、前記タッチ位置の移動軌跡に沿った線を前記表示部に描画し、前記消去モードがオンのとき、前記タッチ位置を含む所定範囲内の線を前記表示部から消去する処理を実行させることを特徴とする。
【発明の効果】
【００１１】
本発明のタッチパネル入力装置及び入力処理プログラムによれば、線を消去するための消去モードのオンが、タッチパネルをタッチした状態で行なわれ、消去モードのオフが、タッチを解除するだけで行なわれるので、アイコンをタッチするよりも少ない操作で迅速に消去モードのオン・オフを切り替えることができる。
【図面の簡単な説明】
【００１２】
【図１】本発明の第１の実施形態に係るタッチパネル入力装置のブロック構成図。
【図２】同タッチパネル入力装置の動作を示す状態遷移図。
【図３】同タッチパネル入力装置における線の描画を示す画面イメージ図。
【図４】同タッチパネル入力装置における線の消去を示す画面イメージ図。
【図５】同タッチパネル入力装置で実行される入力処理プログラムの動作を示すフローチャート。
【図６】本発明の第２の実施形態に係るタッチパネル入力装置の動作を示す状態遷移図。
【図７】同タッチパネル入力装置で実行される入力処理プログラムの動作を示すフローチャート。
【図８】（ａ）（ｂ）は、従来のタッチパネル入力装置における線の描画を時系列に示す画面イメージ図。
【図９】（ａ）（ｂ）は、同タッチパネル入力装置における線の消去を時系列に示す画面イメージ図。
【図１０】同タッチパネル入力装置の動作を示す状態遷移図。
【発明を実施するための形態】
【００１３】
（第１の実施形態）
本発明の第１の実施形態に係るタッチパネル入力装置及び入力処理プログラムについて、図１乃至図５を参照して説明する。図１に示されるように、タッチパネル入力装置１は、タッチパネル２と、処理部３とを備える。タッチパネル２は、表示部２１及びセンサ２２を有する。センサ２２は、タッチ状態を検出するためのものである。処理部３は、そのタッチ状態に基づいて表示部２１に画像を描画する。タッチパネル入力装置１において、検出されるタッチ状態には、タッチ位置及びタッチされる接触面積がある。
【００１４】
図２に示されるように、処理部３は、動作モードとして消去モードを有する。処理部３は、検出された接触面積が所定の閾値を超えたとき（イベントｅ１）、消去モードをオン（状態Ｓ１）にする。処理部３は、タッチパネル２へのタッチが解除されたとき、消去モードをオフ（状態Ｓ０）にする（イベントｅ２）。
【００１５】
処理部３は、タッチパネル２がタッチされているときに消去モードがオフであれば（図２の状態Ｓ０）、図３に示されるように、タッチ位置Ｐの移動軌跡に沿った線Ｌを表示部２１に描画する。線Ｌの描画は、タッチ位置Ｐを中心とする小さな範囲の色を変更することにより行われる。処理部３は、消去モードがオンのとき（図２の状態Ｓ１）、図４に示されるように、タッチ位置Ｐを含む所定範囲Ｒ内の線Ｌを表示部２１から消去する。所定範囲Ｒは、例えば、タッチ位置Ｐを中心とする所定半径の円である。
【００１６】
なお、消去モードのオフ（状態Ｓ０）は、「ペンモード」又は「描画モード」と呼んでもよい。消去モードのオン（状態Ｓ１）は、「消しゴムモード」と呼んでもよい。
【００１７】
従来の操作方法に慣れたユーザへの配慮として、ペンアイコン２３及び消しゴムアイコン２４をタッチパネル２に表示してもよい（図３及び図４参照）。この場合、消しゴムアイコン２４をタッチすることによって消去モードをオンにする機能（イベントｅ１１）と、ペンアイコン２３をタッチすることによって消去モードをオフにする機能（イベントｅ１２）とが付加される（図２参照）。但し、指等を１本だけ使ってタッチする場合には、アイコンをタッチする前にタッチパネル２へのタッチが解除されるので（イベントｅ２）、ペンアイコン２３へのタッチ（イベントｅ１２）は無駄な操作となる。ペンアイコン２３や消しゴムアイコン２４は、省略しても構わない。
【００１８】
タッチパネル入力装置１の構成をさらに詳述する（図１参照）。タッチパネル入力装置１は、例えば、タブレット端末等に設けられる。タッチパネル２は、薄型のタッチパネルであり、タッチされる接触面積を検出可能なものが用いられる。タッチパネル２の表示部２１は、例えば、液晶ディスプレイである。表示部２１に有機ＥＬディスプレイを用いてもよい。タッチパネル２のセンサ２２は、例えば、静電容量方式である。処理部３は、ＣＰＵ及びメモリ等で構成され、メモリに記憶された入力処理プログラムを実行することによって動作する。例えば、タブレット端末等において、処理部３のＣＰＵ及びメモリとして、タブレット端末等のＣＰＵ及びメモリ（ハードウェアリソース）が利用される。
【００１９】
タッチパネル２のタッチ状態として検出されるタッチ位置とは、タッチパネル２において、タッチされた箇所のほぼ中央の２次元座標である。
【００２０】
タッチパネル２のタッチ状態として検出される接触面積は、タッチされた箇所の面積の大きさである。指でタッチパネル２をタッチする場合、タッチする力を大きくすることによって、接触面積が大きくなる。また、タッチする指の部分を指先から指の腹に変えることによって、接触面積が大きくなる。なお、タッチパネル入力装置１において、この接触面積の値は、面積の単位（平方ミリメートル等）で表される値に限定されず、例えば、センサ２２の出力信号の大きさをそのまま用いてもよい。
【００２１】
上記のように構成されたタッチパネル入力装置１で実行される入力処理プログラムの動作を、図５を参照して説明する。入力処理プログラムの実行が開始されると（ステップＳ１００）、先ず、処理部３において、入力処理プログラムの初期設定が行われる（ステップＳ１０１）。タッチパネル２は、初期状態ではタッチされていないので、タッチが解除されていることになり、初期設定で消去モードがオフ（ＯＦＦ）にされる。また、初期設定において、消去モードをオン（ＯＮ）にする閾値が設定される。この閾値は、処理部３の不揮発性メモリに保存されており、入力処理プログラムによって読み出される。この閾値をユーザの操作によって調節できるようにしてもよい。
【００２２】
次に、タッチパネル２がタッチされると（ステップＳ１０２でＹｅｓ）、接触面積が読み取られる（ステップＳ１０３）。接触面積が閾値以下のとき（ステップＳ１０４でＮｏ）、消去モードがオフのままにされる。接触面積が閾値を超えたとき（ステップＳ１０４でＹｅｓ）、消去モードがオンにされる（ステップＳ１０５）。接触面積が閾値以下であっても、消去モードがオンであれば（ステップＳ１０４でＹｅｓ）、消去モードはオンのままにされる（ステップＳ１０５）。
【００２３】
消去モードがオフのとき、タッチ位置の移動軌跡に沿った線をタッチパネル２の表示部２１に描画する（ステップＳ１０６）。消去モードがオンのとき、タッチ位置を含む所定範囲内の線を表示部２１から消去する（ステップＳ１０７）。
【００２４】
タッチパネル２へのタッチが解除されたとき（ステップＳ１０８でＹｅｓ）、消去モードがオフにされ（ステップＳ１０９）、初期設定直後の状態に戻る。タッチパネル２へのタッチが継続しているとき（ステップＳ１０８でＮｏ）、接触面積が読み取られる（ステップＳ１０３）。このように、入力処理プログラムが動作している間、無限ループとなる。
【００２５】
上記のように、入力処理プログラムの動作において、タッチパネル２をタッチした時、接触面積が閾値以下であれば、消去モードがオフになる。タッチパネル２をタッチした時、接触面積が閾値を超えていると、タッチした時点から消去モードがオンになる。また、タッチが継続しているときに接触面積が閾値を超えると、その時点から消去モードがオンになる。
【００２６】
本実施形態では、タッチが継続しているときに、タッチが解除されずに接触面積が閾値以下になっても、消去モードがオフにされない。指等のタッチによる接触面積が常に変動するため、消去モードが一旦オンになったら、接触面積が閾値以下になっても、タッチが解除されるまでは、消去モードがオンの状態を保持し、消去モードのオン・オフが不安定に変化することを防いでいる。
【００２７】
以上、本実施形態に係る本実施形態のタッチパネル入力装置１及び入力処理プログラムによれば、線を消去するための消去モードのオンが、タッチパネル２をタッチした状態で行なわれ、消去モードのオフが、タッチを解除するだけで行なわれるので、アイコンをタッチするよりも少ない操作で迅速に消去モードのオン・オフを切り替えることができる。
【００２８】
消去モードがオンのとき、接触面積が閾値以下になっても、タッチが解除されるまで消去モードがオンの状態を保持することにより、消去モードの不安定なオン・オフ変化が防がれる。
【００２９】
（第２の実施形態）
本発明の第２の実施形態に係るタッチパネル入力装置１及び入力処理プログラムについて、図１を流用するとともに、図６及び図７を参照して説明する。第１の実施形態と同等の箇所には同じ符号を付している。以下の説明において、第１の実施形態と同等の箇所の詳細な説明は省略する。本実施形態のタッチパネル入力装置１は、第１の実施形態と同様の構成を有する（図１参照）。このタッチパネル入力装置１において、検出されるタッチ状態には、タッチ位置及びタッチされる押圧力がある。この押圧力は、タッチよってタッチパネル２が押圧される力であり、圧力と接触面積との積の物理量である。本実施形態では、タッチパネル入力装置１は、タッチされる押圧力を検出可能なものが用いられる。
【００３０】
図６に示されるように、本実施形態では、消去モードをオンにする条件として、第１の実施形態における接触面積の代わりに、タッチパネル２がタッチされる押圧力が用いられる。処理部３は、検出された押圧力が所定の閾値を超えたとき（イベントｅ２１）、消去モードをオン（状態Ｓ１）にする。処理部３は、タッチパネル２へのタッチが解除されたとき、消去モードをオフ（状態Ｓ０）にする（イベントｅ２）。
【００３１】
図７に示されるように、本実施形態では、入力処理プログラムの動作において、タッチパネル２がタッチされると（ステップＳ２０２でＹｅｓ）、押圧力が読み取られる（ステップＳ２０３）。押圧力が閾値以下のとき（ステップＳ２０４でＮｏ）、消去モードがオフのままにされる。押圧力が閾値を超えたとき（ステップＳ２０４でＹｅｓ）、消去モードがオンにされる（ステップＳ２０５）。押圧力が閾値以下であっても、消去モードがオンであれば（ステップＳ２０４でＹｅｓ）、消去モードはオンのままにされる（ステップＳ２０５）。
【００３２】
消去モードがオフのとき、タッチ位置の移動軌跡に沿った線をタッチパネル２の表示部２１に描画する（ステップＳ２０６）。消去モードがオンのとき、タッチ位置を含む所定範囲内の線を表示部２１から消去する（ステップＳ２０７）。
【００３３】
タッチパネル２へのタッチが解除されたとき（ステップＳ２０８でＹｅｓ）、消去モードがオフにされ（ステップＳ２０９）、初期設定直後の状態に戻る。タッチパネル２へのタッチが継続しているとき（ステップＳ２０８でＮｏ）、押圧力が読み取られる（ステップＳ２０３）。このように、入力処理プログラムが動作している間、無限ループとなる。
【００３４】
第２の実施形態では、第１の実施形態と同様に、タッチが継続しているときに、タッチが解除されずに押圧力が閾値以下になっても、消去モードがオフにされない。指等のタッチによる押圧力が常に変動するため、消去モードが一旦オンになったら、押圧力が閾値以下になっても、タッチが解除されるまでは、消去モードがオンの状態を保持し、消去モードのオン・オフが不安定に変化することを防いでいる。
【００３５】
以上、第２の実施形態に係る本実施形態のタッチパネル入力装置１及び入力処理プログラムによれば、第１の実施形態と同様の効果が得られる。
【００３６】
なお、本発明は、上記の実施形態の構成に限られず、発明の要旨を変更しない範囲で種々の変形が可能である。例えば、タッチパネル入力装置１は、タブレット端末の入力装置に限定されず、パーソナルコンピュータ、電子黒板、携帯電話機、又は携帯ゲーム機等に用いてもよい。タッチパネル入力装置１は、タブレット端末等に手書きのメモを表示するために用いても、タブレット端末等に文字データを入力するための手段に利用してもよい。また、タッチパネル２をタッチする手段は、指に限定されず、例えば、先端が柔軟な棒状のものであってもよい。
【符号の説明】
【００３７】
１  タッチパネル入力装置
２  タッチパネル
２１  表示部
２２  センサ
３  処理部
Ｌ  線
Ｐ  タッチ位置
Ｒ  所定範囲
【図１】
2015088147.tif 000003
【図２】
2015088147.tif 000004
【図３】
2015088147.tif 000005
【図４】
2015088147.tif 000006
【図５】
2015088147.tif 000007
【図６】
2015088147.tif 000008
【図７】
2015088147.tif 000009
【図８】
2015088147.tif 000010
【図９】
2015088147.tif 000011
【図１０】
2015088147.tif 000012